(57)【特許請求の範囲】
【請求項１】
孔を介してホルダーと結合するための結合部材を備えるアンテナと、前記孔の近傍にアンテナ挿入方向と平行に給電ばね抜け／給電ばね回転防止リブを植立したケースと、前記孔を介して挿通された前記結合部材と結合するホルダーと、前記ホルダーを巻込むように跨座して係合される給電ばねを備えることを特徴とするアンテナ装置。
【請求項２】
前記リブのアンテナ挿入方向に沿う先端部には曲率が施されていることを特徴とする請求項１記載のアンテナ装置。
【請求項３】
前記請求項１ないし２記載のアンテナ装置を備える携帯無線電子機器。
【発明の詳細な説明】
【０００１】
【発明の属する技術分野】
本発明は、例えば無線機器や携帯電話機等の電子機器ケースの外部より組付けるアンテナ装置に関し、特に給電ばねの抜けを防止するためにリブをケースに設けるよう構成したものである。
【０００２】
【従来の技術】
従来、無線機器や携帯電話機等の電子機器ケースの外部より組付けるアンテナ装置において、アンテナをケースに取付るに当たっては図６に示されるような構成を採っていた。すなわち、図６に示されるようにアンテナ11は、ケース14に設けられたアンテナ通し孔を介してホルダー12と給電ばね13とをネジによって一緒に固定するようにしていた。
【０００３】
【発明が解決しようとする課題】
しかしながら、上記した従来のアンテナ装置では、ホルダー12と給電ばね13とをネジによって一緒に固定するような構成のため、何らかの原因でネジの緩みなどが生じると給電ばね13の接点位置がずれてしまいアンテナ装置が機能しなくなるという問題を有していた。
【０００４】
そこで本発明は、給電ばねの位置ずれや抜けの起きないアンテナ装置を提供することを目的とするものである。
【０００５】
【課題を解決するための手段】
上記のような課題を解決するために本発明のアンテナ装置は、孔を介してホルダーと結合するための結合部材を備えるアンテナと、前記孔の近傍にアンテナ挿入方向と平行に給電ばね抜け／給電ばね回転防止リブを植立したケースと、前記孔を介して挿通された前記結合部材と結合するホルダーと、前記ホルダーを巻込むように跨座して係合される給電ばねを備えることを特徴とする。
【０００６】
【発明の実施の形態】
本発明における請求項１記載の発明は、孔を介してホルダーと結合するための結合部材を備えるアンテナと、前記孔の近傍にアンテナ挿入方向と平行に給電ばね抜け／給電ばね回転防止リブを植立したケースと、前記孔を介して挿通された前記結合部材と結合するホルダーと、前記ホルダーを巻込むように跨座して係合される給電ばねを備えることを特徴とするアンテナ装置としたものであり、給電ばねの抜け／回転を起こさないようにすることができるという作用を有する。
【０００９】
また、請求項２記載の発明は、前記リブのアンテナ挿入方向に沿う先端部には曲率が施されていることを特徴とする請求項１記載のアンテナ装置としたものであり、ホルダーおよび給電ばねの取付を容易化できるという作用を有する。
【００１２】
また、請求項３記載の発明は、前記請求項１ないし２記載のアンテナ装置を備える携帯無線電子機器としたものであり、携帯無線電子機器において給電ばねの抜け／回転を起こさないようにすることができるという作用を有する。
【００１３】
以下、本発明の実施の形態について、図面を用いて説明する。
【００１４】
図１は、本発明に係るアンテナ装置の構成を示した分解斜視図である。図１においてアンテナ装置は、孔を介してホルダー２と結合するための結合部材を備えるアンテナ１と、孔の近傍にアンテナ挿入方向と平行に給電ばね抜け防止／回転防止リブ５を植立したケース４と、孔を介して挿通された結合部材と結合するホルダー２と、ホルダー２を巻込むように跨座して係合される給電ばね３を備えるように構成されている。
【００１５】
図２は、ケースの孔の近傍を上から見た正面図であり、ケース４からアンテナ挿入方向と平行に給電ばね抜け防止／回転防止リブ５が植立されているのが理解できるであろう。また、給電ばね抜け防止／回転防止リブ５のアンテナ挿入方向に沿う先端部には曲率（アール）が施されているのが理解できるであろう。この曲率（アール）は部品の取付を容易化するために施されるものである。
【００１６】
図３は、図２の状態においてさらにホルダー２および給電ばね３を取付けた状態を示す正面図であり、ホルダー２、給電ばね３および給電ばね抜け防止／回転防止リブ５の位置関係が理解されるであろう。
【００１７】
図４は、組立が完了する直前のアンテナ装置の構成を示すケース内から見た拡大立面図であり、図４において既にアンテナはホルダー２と結合されており、給電ばね３をホルダー２に圧力を加えて取付ける様子が示されている。すなわち、ホルダー２に取付けるために給電ばね３に押圧を加えているので、給電ばね３は給電ばね抜け防止／回転防止リブ５に接触せずにホルダー２にその先端部が巻込まれるように且つ接点を持つ面がホルダー２の表面に跨るようにした取付けられる様子が理解できるであろう。この場合給電ばね抜け防止／回転防止リブ５の給電ばね３の取付方向の先端部には傾斜が設けられているのが分かるであろう。
【００１８】
図５は、組立が完了した状態のアンテナ装置の構成を示すケース内から見た拡大立面図であり、図５においては既にアンテナ装置としての取付は完了しているので、例えば給電ばね３に矢印方向に引抜こうとする力が働いたと仮定した場合、給電ばね３のばね力により給電ばね３は給電ばね抜け防止／回転防止リブ５に接触しており、引抜こうとするも給電ばね抜け防止／回転防止リブ５によって阻止され引抜くことはできない。
【００１９】
また、給電ばね３に回転する力が働いたと仮定した場合、給電ばね３のばね力により給電ばね３は給電ばね抜け防止／回転防止リブ５に接触しており、回転しようとするも給電ばね抜け防止／回転防止リブ５によって阻止され回転することはできない。
【００２０】
【発明の効果】
以上の説明から明らかなように本発明は、孔を介してホルダーと結合するための結合部材を備えるアンテナと、前記孔の近傍にアンテナ挿入方向と平行に給電ばね抜け／給電ばね回転防止リブを植立したケースと、前記孔を介して挿通された前記結合部材と結合するホルダーと、前記ホルダーを巻込むように跨座して係合される給電ばねを備えることを特徴とするものであり、給電ばねの抜け／回転を起こさないようにすることができるという効果を有する。
【図面の簡単な説明】
【図１】本発明の実施の形態に係るアンテナ装置の構成を示す分解斜視図、
【図２】本発明の実施の形態に係るアンテナ装置においてケースの孔の近傍を上から見た正面図、
【図３】本発明の実施の形態に係るアンテナ装置においてホルダーおよび給電ばねを取付けた状態を示す正面図、
【図４】組立が完了する直前の本発明の実施の形態に係るアンテナ装置の構成を示すケース内から見た拡大立面図、
【図５】組立が完了した状態の本発明の実施の形態に係るアンテナ装置の構成を示すケース内から見た拡大立面図、
【図６】従来のアンテナ装置の構成を示す分解斜視図である。
【符号の説明】
１、11  アンテナ
２、12  ホルダー
３、13  給電ばね
４、14  ケース
５  給電ばね抜け防止／回転防止リブ
【図１】
0003645106.tif 000002
【図２】
0003645106.tif 000003
【図３】
0003645106.tif 000004
【図４】
0003645106.tif 000005
【図５】
0003645106.tif 000006
【図６】
0003645106.tif 000007